(57)【特許請求の範囲】
【請求項１】
複数のインキキーを備える印刷機を診断する印刷機診断装置であって、
前記インキキー毎に、インキキー開度設定値のプリセット値を取得するプリセット値取得手段と、
前記インキキー毎に、所定の印刷品質が得られた際のインキキー開度設定値であるＯＫインキキー開度設定値を取得するＯＫ値取得手段と、
前記プリセット値取得手段により取得されたプリセット値と、前記ＯＫ値取得手段により取得されたＯＫインキキー開度設定値との差分値を示す差分値情報を差分値記憶手段に記録する差分値記録手段と、
前記差分値記憶手段に記憶された差分値情報の示す差分値に基づいて、前記印刷機の不具合原因を特定する診断手段と、
を備え、
前記診断手段は、前記インキキー毎に、前記差分値記憶手段に記憶された直近所定件数分の前記差分値情報に基づいて差分値の平均値を算出し、当該算出した平均値を前記印刷機におけるインキキーの配列順に並べた際に当該平均値の集合から得られる直線の傾きが傾き警告判断値より大きい場合に、インキ元ローラの軸ずれが生じていることを前記不具合原因として特定することを特徴とする印刷機診断装置。
【請求項２】
複数のインキキーを備える印刷機を診断する印刷機診断装置であって、
前記インキキー毎に、インキキー開度設定値のプリセット値を取得するプリセット値取得手段と、
前記インキキー毎に、所定の印刷品質が得られた際のインキキー開度設定値であるＯＫインキキー開度設定値を取得するＯＫ値取得手段と、
前記プリセット値取得手段により取得されたプリセット値と、前記ＯＫ値取得手段により取得されたＯＫインキキー開度設定値との差分値を示す差分値情報を差分値記憶手段に記録する差分値記録手段と、
前記差分値記憶手段に記憶された差分値情報の示す差分値に基づいて、前記印刷機の不具合原因を特定する診断手段と、
を備え、
前記診断手段は、前記インキキー毎に、前記差分値記憶手段に記憶された直近所定件数分の前記差分値情報に基づいて差分値の標準偏差及び平均値を算出し、当該標準偏差が零点ずれ量判断値以下であるインキキーの数が零点ずれ警告判断値以上であって、且つ、当該平均値の絶対値が零点不良判断値以上であるインキキーの数が零点不良警告判断値以上である場合に、前記インキキーの零点がずれていることを前記不具合原因として特定することを特徴とする印刷機診断装置。
【請求項３】
請求項１又は２に記載の印刷機診断装置であって、
前記診断手段により前記不具合原因が特定された場合に、当該不具合原因を提示して警告する警告手段、
を更に備えることを特徴とする印刷機診断装置。
【請求項４】
複数のインキキーを備える印刷機を診断する印刷機診断装置に含まれるコンピュータを、
前記インキキー毎に、インキキー開度設定値のプリセット値を取得するプリセット値取得手段、
前記インキキー毎に、所定の印刷品質が得られた際のインキキー開度設定値であるＯＫインキキー開度設定値を取得するＯＫ値取得手段、
前記プリセット値取得手段により取得されたプリセット値と、前記ＯＫ値取得手段により取得されたＯＫインキキー開度設定値との差分値を示す差分値情報を差分値記憶手段に記録する差分値記録手段、
前記差分値記憶手段に記憶された差分値情報の示す差分値に基づいて、前記印刷機の不具合原因を特定する診断手段、
として機能させ、
前記診断手段は、前記インキキー毎に、前記差分値記憶手段に記憶された直近所定件数分の前記差分値情報に基づいて差分値の平均値を算出し、当該算出した平均値を前記印刷機におけるインキキーの配列順に並べた際に当該平均値の集合から得られる直線の傾きが傾き警告判断値より大きい場合に、インキ元ローラの軸ずれが生じていることを前記不具合原因として特定することを特徴とする印刷機診断プログラム。
【請求項５】
複数のインキキーを備える印刷機を診断する印刷機診断装置に含まれるコンピュータを、
前記インキキー毎に、インキキー開度設定値のプリセット値を取得するプリセット値取得手段、
前記インキキー毎に、所定の印刷品質が得られた際のインキキー開度設定値であるＯＫインキキー開度設定値を取得するＯＫ値取得手段、
前記プリセット値取得手段により取得されたプリセット値と、前記ＯＫ値取得手段により取得されたＯＫインキキー開度設定値との差分値を示す差分値情報を差分値記憶手段に記録する差分値記録手段、
前記差分値記憶手段に記憶された差分値情報の示す差分値に基づいて、前記印刷機の不具合原因を特定する診断手段、
として機能させ、
前記診断手段は、前記インキキー毎に、前記差分値記憶手段に記憶された直近所定件数分の前記差分値情報に基づいて差分値の標準偏差及び平均値を算出し、当該標準偏差が零点ずれ量判断値以下であるインキキーの数が零点ずれ警告判断値以上であって、且つ、当該平均値の絶対値が零点不良判断値以上であるインキキーの数が零点不良警告判断値以上である場合に、前記インキキーの零点がずれていることを前記不具合原因として特定することを特徴とする印刷機診断プログラム。
【請求項６】
複数のインキキーを備える印刷機を診断する印刷機診断装置により実行される印刷機診断方法であって、
前記インキキー毎に、インキキー開度設定値のプリセット値を取得するステップと、
前記インキキー毎に、所定の印刷品質が得られた際のインキキー開度設定値であるＯＫインキキー開度設定値を取得するステップと、
前記取得されたプリセット値と、前記取得されたＯＫインキキー開度設定値との差分値を示す差分値情報を差分値記憶手段に記録するステップと、
前記差分値記憶手段に記憶された差分値情報の示す差分値に基づいて、前記印刷機の不具合原因を特定するステップと、
を含み、
前記不具合原因を特定するステップでは、前記インキキー毎に、前記差分値記憶手段に記憶された直近所定件数分の前記差分値情報に基づいて差分値の平均値を算出し、当該算出した平均値を前記印刷機におけるインキキーの配列順に並べた際に当該平均値の集合から得られる直線の傾きが傾き警告判断値より大きい場合に、インキ元ローラの軸ずれが生じていることを前記不具合原因として特定することを特徴とする印刷機診断方法。
【請求項７】
複数のインキキーを備える印刷機を診断する印刷機診断装置により実行される印刷機診断方法であって、
前記インキキー毎に、インキキー開度設定値のプリセット値を取得するステップと、
前記インキキー毎に、所定の印刷品質が得られた際のインキキー開度設定値であるＯＫインキキー開度設定値を取得するステップと、
前記取得されたプリセット値と、前記取得されたＯＫインキキー開度設定値との差分値を示す差分値情報を差分値記憶手段に記録するステップと、
前記差分値記憶手段に記憶された差分値情報の示す差分値に基づいて、前記印刷機の不具合原因を特定するステップと、
を含み、
前記不具合原因を特定するステップでは、前記インキキー毎に、前記差分値記憶手段に記憶された直近所定件数分の前記差分値情報に基づいて差分値の標準偏差及び平均値を算出し、当該標準偏差が零点ずれ量判断値以下であるインキキーの数が零点ずれ警告判断値以上であって、且つ、当該平均値の絶対値が零点不良判断値以上であるインキキーの数が零点不良警告判断値以上である場合に、前記インキキーの零点がずれていることを前記不具合原因として特定することを特徴とする印刷機診断方法。
【発明の詳細な説明】
【技術分野】
【０００１】
本発明は、印刷機の不具合原因を特定する印刷機診断装置等の技術分野に関する。
【背景技術】
【０００２】
まず、図１及び図２を用いてオフセット印刷機について説明する。オフセット印刷機は印刷色分の印刷ユニットＵを備えている（例えば、印刷色がＣＭＹＫの４色である場合には４台）。図１に示すように、印刷ユニットＵは、インキキー１１００、インキ元ローラ１２００、インキが溜められるインキつぼ１３００、及びチップ１５００等からなるインキキー式のインキ供給装置を備えている。インキキー１１００はブレード状の部材であり、図２に示すように印刷幅方向に複数（図２においては８つ）並置される。各インキキー１１００は、チップ１５００の上下の動作に従って矢印１１１０の方向に変位する。これに伴って、インキキー１１００のインキ元ローラ１２００に対する隙間量（インキキー開度１４００）が変位する。これにより、インキキー１１００（すなわち、インキキーによりインキが供給される領域）毎にインキ供給量を調整することができるようになっている。また、絵柄全体へのインキ供給量はインキ元ローラ１２００の回転速度を変化させることにより調整することができる。このように、印刷ユニットＵにおいては、インキキー開度１４００、又はインキ元ローラ１２００の回転速度を制御することによりインキ供給量を調整することができるようになっている。インキ供給装置から供給されたインキは、版胴、ブランケット胴を介して絵柄として紙に転写され印刷物となる。紙に付着する（盛られる）インキの厚み（膜厚）により光の吸収率が異なるため、印刷物の色調に違いがうまれる。したがって、インキ供給量（すなわち、インキキー開度１４００とインキ元ローラ１２００の回転速度）を制御することにより印刷物の色調を調整することができる。
【０００３】
インキキー開度１４００の調整は、印刷機のオペレータがオペレータ端末よりインキキー開度設定値を変更することにより行われる。印刷機毎に、基準となるインキキー開度１４００（零点と呼ぶ）が設定されており、インキキー開度１４００を零点より広げる場合にはインキキー開度設定値として「＋（プラス）」の値を設定し、一方、狭める場合には、「−（マイナス）」の値を設定すればよい。
【０００４】
オフセット印刷機においては、所望の印刷物を印刷するにあたり、本刷りを行う前に試し刷りと呼ばれる色合わせのための印刷が行われる。試し刷りは、オペレータが印刷物と色見本とを比較しながら所望の色調を得られるまで行われる。試し刷りが行われている間の印刷物は損紙として廃棄されるため、印刷用紙の無駄を削減するためにも試し刷りの量を極力少なくすることが望まれる。
【０００５】
そうした中、試し刷りを減らすための技術として、試し刷り開始時のインキキー開度設定値であるプリセット値と、所望の色調が得られた時のインキキー開度設定値であるＯＫ値との差を小さくすることを目的とする技術が多く開示されている。具体的には、例えば、インキキー毎（具体的には、インキキーによりインキが供給される領域毎）に、ＣＭＹＫの各印刷色の占める面積率（絵柄面積率）を算出し、算出した絵柄面積率と絵柄の基準濃度が得られるインキキー開度設定値の関係を実験的に求め、絵柄面積率に応じてプリセット値を求める技術が一般的に知られている。
【０００６】
また、特許文献１には、絵柄面積率とインキキー開度設定値との対応関係を示すインキキー開度特性線を参照し、絵柄面積率に基づいてインキキー開度設定値を個別にプリセットするインキキープリセット装置であって、インキキー毎に実際のＯＫ値を所定回数分記録し、当該記録したＯＫ値に基づいて新たなインキキー開度特性線を作成するインキキープリセット装置が開示されている。
【０００７】
しかしながら、これらの技術は印刷ユニットＵが正常な状態で動作することが前提となっている。例えば、（１）インキキー１１００の零点にずれが生じている場合、（２）隣り合うインキキー１１００間（例えば、図２のＢで示す部分）でインキが固着し、インキキー１１００が動作不良を起こしている場合、（３）機械的要因（機構やギアのバックラッシュ、インクの固着等）により、同じインキキー開度設定値を設定してもインキキー１１００間でインキキー開度１４００が異なる場合、（４）インキ元ローラ１２００とインキ呼出しローラ１２１０（図２参照）との軸がずれている場合などには、設定値通りにインキキー１１００が動作せず、調整による試し刷りが増加する。そのため、印刷ユニットＵに不具合が生じている場合には、すみやかに不具合原因を特定して適切なメンテナンスを行う必要がある。
【０００８】
これに対して、特許文献２には、絵柄面積率とインキキー開度データとの比を評価指標として記録し、過去と現在の指標を比較し、インキキーに不具合が生じた場合に警告する技術が開示されている。また、特許文献３には、印刷物の特性を特徴付ける色管理データを色管理データベースに蓄積し、印刷物の所定期間経過後における色管理データの変化量を診断条件と比較し、比較結果に基づいて印刷機の状態を診断する技術が開示されている。
【先行技術文献】
【特許文献】
【０００９】
【特許文献１】特許第４３９５２８７号公報
【特許文献２】特開２００４−１８８９５９号公報
【特許文献３】特開２００４−１９５７４０号公報
【発明の概要】
【発明が解決しようとする課題】
【００１０】
しかしながら、上述した技術では、不具合原因を特定することができないため、メンテナンスに長時間を要する場合がある。本発明は、このような問題に鑑みて為されたもので、印刷機の不具合原因を特定することにより、メンテナンス時間を短縮することのできる印刷機診断装置等を提供することを課題とする。
【課題を解決するための手段】
【００１１】
上記課題を解決するために、請求項１に記載の発明は、複数のインキキーを備える印刷機を診断する印刷機診断装置であって、前記インキキー毎に、インキキー開度設定値のプリセット値を取得するプリセット値取得手段と、前記インキキー毎に、所定の印刷品質が得られた際のインキキー開度設定値であるＯＫインキキー開度設定値を取得するＯＫ値取得手段と、前記プリセット値取得手段により取得されたプリセット値と、前記ＯＫ値取得手段により取得されたＯＫインキキー開度設定値との差分値を示す差分値情報を差分値記憶手段に記録する差分値記録手段と、前記差分値記憶手段に記憶された差分値情報の示す差分値に基づいて、前記印刷機の不具合原因を特定する診断手段と、を備え、前記診断手段は、前記インキキー毎に、前記差分値記憶手段に記憶された直近所定件数分の前記差分値情報に基づいて差分値の平均値を算出し、当該算出した平均値を前記印刷機におけるインキキーの配列順に並べた際に当該平均値の集合から得られる直線の傾きが傾き警告判断値より大きい場合に、インキ元ローラの軸ずれが生じていることを前記不具合原因として特定することを特徴とする。
【００１２】
請求項１に記載の発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
また、インキ元ローラの軸ずれが生じている場合に現れる、インキキー毎に算出される差分値の平均値を印刷機におけるインキキーの配列順に並べた際に当該平均値の集合から得られる直線の傾きが傾き警告判断値より大きいという傾向に基づいて、インキ元ローラの軸ずれが生じているか否かを診断することができる。
【００１３】
また、請求項２に記載の発明は、複数のインキキーを備える印刷機を診断する印刷機診断装置であって、前記インキキー毎に、インキキー開度設定値のプリセット値を取得するプリセット値取得手段と、前記インキキー毎に、所定の印刷品質が得られた際のインキキー開度設定値であるＯＫインキキー開度設定値を取得するＯＫ値取得手段と、前記プリセット値取得手段により取得されたプリセット値と、前記ＯＫ値取得手段により取得されたＯＫインキキー開度設定値との差分値を示す差分値情報を差分値記憶手段に記録する差分値記録手段と、前記差分値記憶手段に記憶された差分値情報の示す差分値に基づいて、前記印刷機の不具合原因を特定する診断手段と、を備え、前記診断手段は、前記インキキー毎に、前記差分値記憶手段に記憶された直近所定件数分の前記差分値情報に基づいて差分値の標準偏差及び平均値を算出し、当該標準偏差が零点ずれ量判断値以下であるインキキーの数が零点ずれ警告判断値以上であって、且つ、当該平均値の絶対値が零点不良判断値以上であるインキキーの数が零点不良警告判断値以上である場合に、前記インキキーの零点がずれていることを前記不具合原因として特定することを特徴とする。
【００１４】
請求項２に記載の発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
また、インキキーの零点がずれている場合に現れる、差分値の標準偏差が零点ずれ量判断値以下であるインキキーが零点ずれ警告判断値以上あり、且つ、差分値の平均値が零点不良判断値以上であるインキキーが零点不良警告判断値以上あるという傾向に基づいて、インキキーの零点にずれが生じているか否かを診断することができる。
【００１５】
また、請求項３に記載の発明は、請求項１又は２に記載の印刷機診断装置であって、前記診断手段により前記不具合原因が特定された場合に、当該不具合原因を提示して警告する警告手段、を更に備えることを特徴とする。
【００１６】
請求項３に記載の発明によれば、不具合原因が特定された場合に、当該不具合原因が提示・警告されるので、オペレータは容易に不具合原因を特定することができ、早急にメンテナンス作業に取りかかることができる。
【００１７】
また、請求項４に記載の発明は、複数のインキキーを備える印刷機を診断する印刷機診断装置に含まれるコンピュータを、前記インキキー毎に、インキキー開度設定値のプリセット値を取得するプリセット値取得手段、前記インキキー毎に、所定の印刷品質が得られた際のインキキー開度設定値であるＯＫインキキー開度設定値を取得するＯＫ値取得手段、前記プリセット値取得手段により取得されたプリセット値と、前記ＯＫ値取得手段により取得されたＯＫインキキー開度設定値との差分値を示す差分値情報を差分値記憶手段に記録する差分値記録手段、前記差分値記憶手段に記憶された差分値情報の示す差分値に基づいて、前記印刷機の不具合原因を特定する診断手段、として機能させ、前記診断手段は、前記インキキー毎に、前記差分値記憶手段に記憶された直近所定件数分の前記差分値情報に基づいて差分値の平均値を算出し、当該算出した平均値を前記印刷機におけるインキキーの配列順に並べた際に当該平均値の集合から得られる直線の傾きが傾き警告判断値より大きい場合に、インキ元ローラの軸ずれが生じていることを前記不具合原因として特定することを特徴とする。
【００１８】
請求項４に記載の発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
また、インキ元ローラの軸ずれが生じている場合に現れる、インキキー毎に算出される差分値の平均値を印刷機におけるインキキーの配列順に並べた際に当該平均値の集合から得られる直線の傾きが傾き警告判断値より大きいという傾向に基づいて、インキ元ローラの軸ずれが生じているか否かを診断することができる。
【００１９】
また、請求項５に記載の発明は、複数のインキキーを備える印刷機を診断する印刷機診断装置に含まれるコンピュータを、前記インキキー毎に、インキキー開度設定値のプリセット値を取得するプリセット値取得手段、前記インキキー毎に、所定の印刷品質が得られた際のインキキー開度設定値であるＯＫインキキー開度設定値を取得するＯＫ値取得手段、前記プリセット値取得手段により取得されたプリセット値と、前記ＯＫ値取得手段により取得されたＯＫインキキー開度設定値との差分値を示す差分値情報を差分値記憶手段に記録する差分値記録手段、前記差分値記憶手段に記憶された差分値情報の示す差分値に基づいて、前記印刷機の不具合原因を特定する診断手段、として機能させ、前記診断手段は、前記インキキー毎に、前記差分値記憶手段に記憶された直近所定件数分の前記差分値情報に基づいて差分値の標準偏差及び平均値を算出し、当該標準偏差が零点ずれ量判断値以下であるインキキーの数が零点ずれ警告判断値以上であって、且つ、当該平均値の絶対値が零点不良判断値以上であるインキキーの数が零点不良警告判断値以上である場合に、前記インキキーの零点がずれていることを前記不具合原因として特定することを特徴とする。
【００２０】
請求項５に記載の発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
また、インキキーの零点がずれている場合に現れる、差分値の標準偏差が零点ずれ量判断値以下であるインキキーが零点ずれ警告判断値以上あり、且つ、差分値の平均値が零点不良判断値以上であるインキキーが零点不良警告判断値以上あるという傾向に基づいて、インキキーの零点にずれが生じているか否かを診断することができる。
【００２１】
また、請求項６に記載の発明は、複数のインキキーを備える印刷機を診断する印刷機診断装置により実行される印刷機診断方法であって、前記インキキー毎に、インキキー開度設定値のプリセット値を取得するステップと、前記インキキー毎に、所定の印刷品質が得られた際のインキキー開度設定値であるＯＫインキキー開度設定値を取得するステップと、前記取得されたプリセット値と、前記取得されたＯＫインキキー開度設定値との差分値を示す差分値情報を差分値記憶手段に記録するステップと、前記差分値記憶手段に記憶された差分値情報の示す差分値に基づいて、前記印刷機の不具合原因を特定するステップと、を含み、前記不具合原因を特定するステップでは、前記インキキー毎に、前記差分値記憶手段に記憶された直近所定件数分の前記差分値情報に基づいて差分値の平均値を算出し、当該算出した平均値を前記印刷機におけるインキキーの配列順に並べた際に当該平均値の集合から得られる直線の傾きが傾き警告判断値より大きい場合に、インキ元ローラの軸ずれが生じていることを前記不具合原因として特定する。
請求項６に記載の発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
また、インキ元ローラの軸ずれが生じている場合に現れる、インキキー毎に算出される差分値の平均値を印刷機におけるインキキーの配列順に並べた際に当該平均値の集合から得られる直線の傾きが傾き警告判断値より大きいという傾向に基づいて、インキ元ローラの軸ずれが生じているか否かを診断することができる。
【００２２】
また、請求項７に記載の発明は、複数のインキキーを備える印刷機を診断する印刷機診断装置により実行される印刷機診断方法であって、前記インキキー毎に、インキキー開度設定値のプリセット値を取得するステップと、前記インキキー毎に、所定の印刷品質が得られた際のインキキー開度設定値であるＯＫインキキー開度設定値を取得するステップと、前記取得されたプリセット値と、前記取得されたＯＫインキキー開度設定値との差分値を示す差分値情報を差分値記憶手段に記録するステップと、前記差分値記憶手段に記憶された差分値情報の示す差分値に基づいて、前記印刷機の不具合原因を特定するステップと、を含み、前記不具合原因を特定するステップでは、前記インキキー毎に、前記差分値記憶手段に記憶された直近所定件数分の前記差分値情報に基づいて差分値の標準偏差及び平均値を算出し、当該標準偏差が零点ずれ量判断値以下であるインキキーの数が零点ずれ警告判断値以上であって、且つ、当該平均値の絶対値が零点不良判断値以上であるインキキーの数が零点不良警告判断値以上である場合に、前記インキキーの零点がずれていることを前記不具合原因として特定することを特徴とする。
請求項７に記載の発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
また、インキキーの零点がずれている場合に現れる、差分値の標準偏差が零点ずれ量判断値以下であるインキキーが零点ずれ警告判断値以上あり、且つ、差分値の平均値が零点不良判断値以上であるインキキーが零点不良警告判断値以上あるという傾向に基づいて、インキキーの零点にずれが生じているか否かを診断することができる。
【発明の効果】
【００２３】
本発明によれば、プリセット値と、ＯＫインキキー開度設定値との差分値に基づいて、印刷機の不具合原因を特定する。すなわち、印刷機で不具合が生じている場合に一定の傾向が現れる、オペレータによるインキキー開度設定値の変位量（インキキー開度操作量）に基づいて、印刷機の不具合原因を特定することができ、延いてはメンテナンス時間を短縮することができる。
【図面の簡単な説明】
【００２４】
【図１】オフセット印刷機における印刷ユニットの略図である。
【図２】複数のインキキーとインキ元ローラの位置関係を説明するための略図である。
【図３】オフセット輪転印刷システムの概略構成を示す図である。
【図４】オペレータ端末の概要構成を示すブロック図である。
【図５】インキキー開度特性データの一例を示す図である。
【図６】インキキーに応じて画像を分割する際の一例を示す図である。
【図７】設定履歴データの一例を示す図である。
【図８】インキ元ローラの軸ずれが生じている様子を説明するための例図である。
【図９】インキ元ローラの軸ずれが生じている場合における、インキキー開度操作量の標準偏差と平均値を示したグラフの一例である。
【図１０】インキキーの零点が開く方向にずれている場合における、インキキー開度操作量の標準偏差と平均値を示したグラフの一例である。
【図１１】一部のインキキーが動作不良を起こしている場合における、インキキー開度操作量の標準偏差と平均値を示したグラフの一例である。
【図１２】不具合原因特定テーブルの一例を示す図である。
【図１３】オペレータ端末の制御部による印刷時処理の一例を示すフローチャートである。
【図１４】（ａ）インキ元ローラの軸ずれ時の警告メッセージの一例である。（ｂ）インキキーの零点ずれ時の警告メッセージの一例である。（ｃ）インキキーの動作不良時の警告メッセージの一例である。
【発明を実施するための形態】
【００２５】
以下、図面を参照して本発明の実施形態について説明する。なお、以下に説明する実施の形態は、オフセット輪転印刷システムＳにおいて本発明を適用した場合の実施形態である。なお、本実施形態において、オフセット輪転印刷システムＳに含まれる印刷機が備える印刷ユニットについては、図１を用いて説明した印刷ユニットＵと同様の構成を有するので、図１で用いた符号と同じ符号を用いて説明する。
【００２６】
図３は、本発明の一実施形態にかかるオフセット輪転印刷システムＳの概略構成を示す図である。オフセット輪転印刷システムＳは、印刷機Ｐとオペレータ端末１を含んで構成される。
【００２７】
印刷機Ｐは、多色刷りの印刷機であり、インキ色（Ｃ（シアン）、Ｍ（マゼンタ）、Ｙ（イエロー）、Ｋ（ブラック））ごとに、印刷ユニットＵ１〜Ｕ４が設けられている。基本的には、印刷ユニットＵ１がＫ、印刷ユニットＵ２がＣ、印刷ユニットＵ３がＭ、印刷ユニットＵ４がＹに対応しているが、印刷する絵柄や色によっては各印刷ユニットＵが担当する色が異なる場合もある。
【００２８】
各印刷ユニットＵは、図１を用いて上述したように複数のインキキー１１００とインキ元ローラ１２００等からなるインキキー式のインキ供給装置を備えている。各印刷ユニットＵの各インキキー１１００にはそれぞれキーＮＯが振られており、キーＮＯが同じであるインキキー１１００は紙面における同じ領域の印刷を行うようになっている。また、本実施形態に係る印刷機Ｐは両面印刷機のため、各印刷ユニットＵは、紙の搬送経路を挟むように１対のブランケット胴（上胴、下胴）が備えられ、各ブランケット胴に対して版胴（上胴、下胴）及びインキ供給装置（上胴側、下胴側）が設けられている。
【００２９】
オペレータ端末１は、オペレータによる入力操作等に基づいて印刷機Ｐを制御するための印刷機制御情報を生成し、印刷機Ｐに送信する。印刷機制御情報には、各印刷ユニットＵのインキキー１１００の開度（すなわち、インキ供給量）を制御するためのインキキー開度設定値を示すインキキー開度制御情報や、インキ元ローラの回転速度を制御するための回転速度設定値を示す回転速度制御情報、引率（用紙搬送時の紙に引っ張り度合いを示す）を制御するための引率設定値を示す引率制御情報等が含まれる。
【００３０】
オペレータ端末１は、各印刷ユニットＵにおけるインキキー１１００毎に、絵柄面積率に応じてインキキー開度設定値（プリセット値）を規定したインキキー開度特性データに基づいてプリセット値を特定する。また、印刷機Ｐにおいて不具合が生じている場合には、オペレータがインキキー開度設定値を変位させた量（インキキー開度操作量）に一定の傾向が現れるとの視点に立ち、本実施形態のオペレータ端末１は、各インキキー１１００に対するインキキー開度操作量を分析し、不具合が生じている原因を特定する。
【００３１】
次に、図４を用いて、本実施形態にかかるオペレータ端末１を構成する各部の構造及び機能について説明する。
【００３２】
図４は、本発明のオペレータ端末１の概要構成を示すブロック図である。図４に示すようにオペレータ端末１は、制御部１１と、記憶部１２と、表示部１３と、操作部１４と、印刷機Ｐとの通信を行うための通信部１５と、を備えて構成されており、制御部１１、記憶部１２、表示部１３、操作部１４、通信部１５はバスを介して相互に接続されている。
【００３３】
制御部１１は、演算機能を有するＣＰＵ（Central Processing Unit）１１ａ、ＲＯＭ（Read Only Memory）１１ｂ、作業用のＲＡＭ（Random Access Memory）１１ｃ、及び図示しない発振回路等を備えて構成されており、操作部１４からの操作信号に基づいて、当該操作信号に含まれている操作情報に対応する動作を実現すべく上記各構成部材を制御するための情報を生成し、バスを介して当該情報を該当する構成部材に出力して当該各構成部材の動作を統轄制御する。
【００３４】
また、制御部１１は、記憶部１２等に記憶された各種制御プログラムを実行することにより、本発明のプリセット値取得手段、ＯＫ値取得手段、差分値記録手段、診断手段及び警告手段として機能する。
【００３５】
記憶部１２は、インキキー開度特性データ１２１、設定履歴データ１２２、不具合原因特定テーブル１２３及び各種設定情報等を記憶する。なお、記憶部１２は、本発明の差分値記憶手段の一例である。
【００３６】
また、記憶部１２は、本発明の印刷機診断プログラムを含む各種制御プログラムやデータ等を記憶する。各種プログラム等は、例えば、他のサーバ装置等からネットワークを介して取得されるようにしても良いし、記録媒体に記録されてドライブ装置を介して読み込まれるようにしても良い。すなわち、記憶部１２に記憶される本発明の印刷機診断プログラムは、ネットワークを介して伝送可能であるし、また、コンピュータ読み取り可能な記録媒体に記録して譲渡することが可能である。
【００３７】
表示部１３は、液晶ディスプレイ等により構成され、製版データや、操作画面、設定画面等の各種画面を表示する。オペレータは、設定画面にて、インキキー開度設定値、インキ元ローラの回転速度の設定値、引率の設定値、紙情報（例えば、紙の種類、紙の幅、斤量など、紙に関する情報）、インキ情報（例えば、インキの種類など、インキに関する情報）、乾燥温度の設定値などを設定することができる。制御部１１は、設定画面より設定された各種情報は記憶部１２に記憶させるとともに、その一部の情報を制御情報として印刷機Ｐに送信する。また、製版データは、オペレータ端末１に接続されたプリンタにて出力することができるようになっている。
【００３８】
次に、図５及び図６を用いてインキキー開度特性データ１２１について説明する。図５に示すようにインキキー開度特性データ１２１は、絵柄面積率に対応するインキキー開度設定値（プリセット値）を特定するためのデータであり、本実施形態においては紙の種類毎に記憶部１２に記憶されている。紙の種類毎にインキキー開度特性データ１２１を記憶させるのは、紙の種類によってインキの浸透率が異なり同量のインキで印刷した場合であっても色調が異なるためである。なお、インキの種類によっても色調が異なる場合があるので、更にインキの種類毎にインキキー開度特性データ１２１を設定することとしてもよい。
【００３９】
絵柄面積率とは、図６に示すように、製版データ２００を印刷幅方向（ローラの軸方向）に分割して得られる分割領域２００ａ〜２００ｈ毎に算出される値である。分割領域２００ａ〜２００ｈは、各インキキー１１００に対応して設定される（図６は、各印刷ユニットＵに８つのインキキーが設けられている場合の例である）。絵柄面積率は、各分割領域２００ａ〜２００ｈにおいて、対象の色が付される領域（絵柄領域）の占める割合である。対象の色とは、例えば、Ｃ（シアン）に対応する印刷ユニットＵにおけるインキキー１１００の場合であればＣ（シアン）となる。分割領域の数に４（Ｃ、Ｍ、Ｙ、Ｋの４色）を乗算した数分（図６の例では、８領域×４色＝３２）の絵柄面積率が算出される。なお、絵柄面積率の算出方法は公知の算出方法を用いることができ、例えば、制御部１１がデジタルの製版データから演算によって算出する算出方法を採用することができる。なお、オペレータ端末１の初期状態（出荷時）には実験的に求められたインキキー開度特性データ１２１が記録されている。
【００４０】
制御部１１は、記憶部１２に記憶された複数のインキキー開度特性データ１２１の中から、設定画面より設定された紙種に対応するインキキー開度特性データ１２１を選択し、この選択したインキキー開度特性データ１２１と、分割領域２００ａ〜２００ｈ毎に算出される絵柄面積率とに基づいて、各インキキー１１００のプリセット値を取得する。
【００４１】
次に、図７を用いて設定履歴データ１２２について説明する。まず、設定履歴データ１２２が記憶部１２に記録されるまでの流れについて説明する。試し刷りにおいて、オペレータはプリセット値で所望の色調が得られなかった場合、オペレータ端末１よりインキキー開度設定値を変更して色調を調整する。そして、オペレータは所望の色調が得られたとき（「ＯＫ時」という）には、所定のＯＫ操作（例えば、操作画面におけるＯＫボタンをクリックする操作）を行う。制御部１１はＯＫ操作を検出すると、設定履歴データ１２２を記憶部１２に記憶させる。
【００４２】
図７に示すように、設定履歴データ１２２は条件情報とインキキー情報とからなる。条件情報は、ＯＫ時におけるインキ元ローラの回転速度の設定値、引率の設定値、紙情報（例えば、紙の種類、紙の幅、斤量）、インキ情報（例えば、インキの種類）、印刷機Ｐが設置されている室内の温度、乾燥温度の設定値などの情報からなる。一方、インキキー情報は、各印刷ユニットＵ（印刷ユニットＮＯで識別される）におけるインキキー１１００毎の、絵柄面積率（インキキーに対応する分割領域２００の絵柄面積率）、プリセット値、ＯＫ値、インキキー開度操作量（プリセット値とＯＫ値の差分）などの情報からなる。なお、インキキー開度操作量はプリセット値とＯＫ値の単純な差分値ではなく、「＋」又は「−」の方向を持つ値、すなわち、オペレータがプリセット値から「＋」或いは「−」の方向にどれだけインキキー開度設定値を変位させたかを示す値である。例えば、プリセット値が「＋５」であり、ＯＫ値が「−５」である場合には、インキキー開度操作量は「−１０」となり、また、プリセット値が「−５」であり、ＯＫ値が「＋５」である場合には、インキキー開度操作量は「＋１０」となる。また、インキキー開度操作量は、プリセット値とＯＫ値から算出することができるためインキキー情報に含めず、必要に応じてプリセット値とＯＫ値とから算出することとしてもよい。
【００４３】
なお、設定履歴データ１２２は、記憶部１２にて上書き更新されるのではなく蓄積される（蓄積件数に上限を設け、古いデータから削除することとしてもよい）。後述するように蓄積された設定履歴データ１２２はインキキー開度特性データ１２１を更新する際に用いられる。
【００４４】
次に、制御部１１が、インキキー開度特性データ１２１を、記憶部１２に蓄積された設定履歴データ１２２に基づいて更新する際の処理について説明する。インキキー開度特性データ１２１の更新は、絵柄面積率毎に行なわれる。例えば、直近に蓄積された設定履歴データ１２２に含まれる絵柄面積率が、４つの絵柄面積率５，１５，２０，４０％のみであった場合には、インキキー開度特性データ１２１の更新は、絵柄面積率５，１５，２０，４０％の部分についてのみ行なわれる。
【００４５】
ここで、インキキー開度特性データ１２１における絵柄面積率５％の部分を更新する場合について説明する。制御部１１は、蓄積された設定履歴データ１２２の中から絵柄面積率が５％であった際のすべてのＯＫ値（直近のＯＫ値を含む）から得られる平均値が、絵柄面積率が５％である際のインキキー開度設定値（プリセット値）となるように、インキキー開度特性データ１２１を更新する。すなわち、制御部１１は、絵柄面積率が同じである過去のＯＫ値と直近のＯＫ値の平均値に基づいて、インキキー開度特性データ１２１を更新する。なお、絵柄面積率を細かく（例えば、小数点以下まで）算出すると、同じ絵柄面積率の設定履歴データ１２２が重複する可能性が低いので、小数点以下は四捨五入するなどしてある程度の幅を持たせて絵柄面積率を算出するとよい。
【００４６】
次に、図８〜図１２を用いて、各インキキー１１００に対するインキキー開度操作量に基づく印刷機Ｐの診断方法について説明する。
【００４７】
[不具合原因１：インキ元ローラの軸ずれ]
図８に示すように、インキ元ローラ１２００の軸がインキ呼出しローラ１２１０或いはインキキー１１００とずれている場合がある。インキ元ローラ１２００の軸ずれが生じている場合にはインキ供給量が偏るため、オペレータは供給量が多い部分１２２１についてインキキー開度１４００を閉じるようにインキキー開度設定値を変更し、一方、供給量が少ない部分１２２２についてインキキー開度１４００を開くようにインキキー開度設定値を変更する。この傾向を判定するために、制御部１１は、まず、記憶部１２に蓄積された直近所定件数分の設定履歴データ１２２より、各インキキー１１００についてインキキー開度操作量の標準偏差と平均値を算出する。
【００４８】
図９は、インキ元ローラ１２００の軸ずれが生じている場合における、インキキー開度操作量の標準偏差と平均値（図９では、キー操作量として示している）を示したグラフの一例である。なお、図９において、キーＮＯ１、２、２８、２９のインキキー１１００について標準偏差及び平均値が示されていないが、これは両端から２つ目までの部分には通常、絵柄がないため、解析の対象外としたことによるものである（図１０、図１１についても同様である）。
【００４９】
図９に示すように、インキ元ローラ１２００の軸ずれが生じている場合には、両端部分に位置するインキキー１１００の平均値が、一方では開く傾向になり、他方では閉じる傾向になる。そこで、制御部１１は、こうした傾向が検出された場合には、インキ元ローラの軸ずれが生じていると診断する。この傾向の検出方法は、様々考えられるが、例えば、両端部分に位置するインキキー１１００（図９ではキーＮＯ３のインキキー、キーＮＯ２７のインキキー）の平均値を直線で結び、その直線の傾きが所定値以上である場合には、インキ元ローラ１２００の軸ずれが生じていると診断することとができる。また、各インキキー１１００のインキキー開度操作量の平均値を、最小二乗法を用いて一次関数で近似させた際の直線の傾きを算出し、算出した傾きが所定値以上である場合に、インキ元ローラ１２００の軸ずれが生じていると診断することとしてもよい。
【００５０】
なお、「直線の傾きが所定値以上である場合」における所定値としては、例えば、「傾き警告判断値=1.0」というような値を任意に設定することができる。具体的な「傾き警告判断値」は、試験を繰り返して適正な値を設定することが好ましい。また、インキ元ローラの軸ずれが生じている可能性に応じて、例えば３段階の警告レベル（警告レベル「低」、警告レベル「中」、警告レベル「高」）毎に「傾き警告判断値」を規定し、オペレータによって選択された警告レベルに応じた「傾き警告判断値」を設定することとしてもよい。
【００５１】
[不具合原因２：インキキーの零点ずれ]
次に、インキキー１１００の零点ずれが生じているか否かを診断する方法について説明する。インキキー１１００の零点とは、印刷機種毎に設定されるインキキー１１００とインキ元ローラ１２００の基準となる距離（インキキー開度１４００）である。インキキー１１００の零点が、インキキー開度１４００が開く方向にずれている場合には、零点がずれていない場合よりインキ供給量が多くなってしまい、一方、インキキー開度１４００が閉じる方向にずれている場合には、零点がずれていない場合よりインキ供給量が少なくなってしまう。したがって、インキキー１１００を適切に制御するためにはインキキー１１００の零点がずれていないことが重要となる。
【００５２】
インキキー１１００の零点がずれている箇所では、常にインキ供給量が多くなるか或いは少なくなるので、オペレータがインキキー開度設定値をプリセット値より小さく設定するか或いは大きく設定する傾向にある。この傾向を判定するために、制御部１１は、まず、記憶部１２に蓄積された直近所定件数分の設定履歴データ１２２より、各インキキー１１００についてインキキー開度操作量の標準偏差と平均値を算出する。
【００５３】
図１０は、インキキー１１００の零点が開く方向にずれている場合における、インキキー開度操作量の標準偏差と平均値（図１０では、キー操作量として示している）を示したグラフの一例である。図１０に示すように、インキキー１１００の零点がずれている場合には、標準偏差及び平均値が全体的に「＋」の領域或いは「−」の領域に分布する傾向となる。そこで、制御部１１は、こうした傾向が検出された場合には、インキキー１１００の零点がずれていると診断する。この傾向の検出方法は、様々考えられるが、例えば、標準偏差が設定値以下であるインキキー１１００の数が所定数以上であって、且つ、平均値の絶対値が設定値以上であるインキキー１１００の数が所定数以上である場合には、インキキー１１００の零点がずれていると診断することができる。
【００５４】
なお、「標準偏差が設定値以下であるインキキー１１００の数が所定数以上」における設定値は「零点ずれ量判断値＝10」というような値を任意に設定することができ、所定数としては「零点ずれ警告判断値＝15」というような値を任意に設定することができる。また、「平均値の絶対値が設定値以上であるインキキー１１００の数が所定数以上」における設定値は「零点不良判断値＝10」というような値を任意に設定することができ、所定数としては「零点不良警告判断値＝15」というような値を任意に設定することができる。具体的な「零点ずれ量判断値」、「零点ずれ警告判断値」、「零点不良判断値」、「零点不良警告判断値」は、試験を繰り返して適正な値を設定することが好ましい。また、インキキーの零点ずれが生じている可能性に応じて、例えば３段階の警告レベル（警告レベル「低」、警告レベル「中」、警告レベル「高」）毎に「零点ずれ量判断値」、「零点ずれ警告判断値」、「零点不良判断値」、「零点不良警告判断値」を規定し、オペレータによって選択された警告レベルに応じた「零点ずれ量判断値」、「零点ずれ警告判断値」、「零点不良判断値」、「零点不良警告判断値」を設定することとしてもよい。
【００５５】
[不具合原因３：インキキーの動作不良]
次に、インキキー１１００に動作不良が生じているか否かを診断する方法について説明する。インキキー１１００が動作不良を起こす原因としてはいくつか考えられる。例えば、隣り合うインキキー１１００間（例えば、図２のＢで示す部分）でインキが固着し、インキキー１１００が動作不良を起こしている場合が考えられる。また、機械的要因（機構やギアのバックラッシュ、インクの固着等）により、同じインキキー開度設定値を設定してもインキキー１１００間で動作量に違いが生じている場合が考えられる。このような場合、動作不良を起こしているインキキー１１００については、オペレータが無理矢理にインキキー開度１４００を調整しようとするため、「＋」方向及び「−」方向、双方へのインキキー開度操作量が大きくなる傾向にある。この傾向を判定するために、制御部１１は、まず、記憶部１２に蓄積された直近所定件数分の設定履歴データ１２２より、各インキキー１１００についてインキキー開度操作量の標準偏差と平均値を算出する。
【００５６】
図１１は、一部のインキキー１１００が動作不良を起こしている場合における、インキキー開度操作量の標準偏差と平均値（図１１では、キー操作量として示している）を示したグラフの一例である。図１１に示すように、動作不良を起こしているインキキー１１００（図１１においてはキーＮＯ「１８」〜「２２」のインキキー１１００）についてはインキキー開度操作量の標準偏差が大きくなる（キー操作量がばらつく）傾向となる。そこで、制御部１１は、こうした傾向が検出された場合には、動作不良が生じているインキキー１１００のキーＮＯを特定した上で、インキキー１１００に動作不良が生じていると診断する。この傾向の検出方法は、様々考えられるが、例えば、各インキキー１１００について標準偏差が設定値を超えているか判断し、標準偏差が設定値を超えているインキキー１１００が存在する場合には、インキキー１１００に動作不良が生じていると診断する（同時に動作不良が生じているインキキー１１００のキーＮＯを特定する）。
【００５７】
なお、「標準偏差が設定値を超えているか」における設定値としては、「動作不良判断値＝10」というような値を任意に設定することができる。具体的な「動作不良判断値」は、試験を繰り返して適正な値を設定することが好ましい。また、インキキーの動作不良が生じている可能性に応じて、例えば３段階の警告レベル（警告レベル「低」、警告レベル「中」、警告レベル「高」）毎に「動作不良判断値」を規定し、オペレータによって選択された警告レベルに応じた「動作不良判断値」を設定することとしてもよい。
【００５８】
[不具合原因特定テーブル]
上述したように、不具合原因はインキキー開度操作量の標準偏差や平均値から特定することができる。これをまとめたものが図１２の不具合原因特定テーブル１２３である。不具合原因特定テーブル１２３は不具合原因毎に、標準偏差に関する条件と平均値に関する条件の少なくとも何れか一方を規定している。制御部１１は、記憶部１２に蓄積された設定履歴データ１２２を参照してインキキー開度操作量の標準偏差や平均値を算出し、算出した標準偏差や平均値と不具合原因特定テーブル１２３に規定された各条件とを比較することにより、不具合原因を特定するようになっている。
【００５９】
次に、図１３のフローチャートを用いて、オペレータ端末１の制御部１１による印刷時処理について説明する。なお、印刷時処理は、印刷ユニットＵ（すなわち、印刷色Ｃ、Ｍ、Ｙ、Ｋ）毎に行われる。また、印刷時処理はオペレータによる試し刷り開始操作が検出されることにより開始する。
【００６０】
まず、オペレータ端末１の制御部１１は、製版データに基づいて、インキキー１１００毎に絵柄面積率を算出する（ステップＳ１）。次いで、制御部１１は、インキキー１１００毎に、ステップＳ１の処理で算出した絵柄面積率と、記憶部１２に記憶されているインキキー開度特性データ１２１に基づいてプリセット値を取得する（ステップＳ２）。
【００６１】
次に、制御部１１は、ステップＳ２の処理で取得した各インキキー１１００のプリセット値を示すインキキー開度制御情報を含む試し刷り開始指示情報を印刷機Ｐに送信する（ステップＳ３）。これにより、印刷機Ｐは、受信した試し刷り開始指示情報に含まれるインキキー開度制御情報の示すプリセット値に従って、各インキキー１１００のインキキー開度１４００を制御して、試し刷りを行う。
【００６２】
次に、オペレータは、印刷機Ｐで試し刷りされた印刷物と、所望の色調が表された色見本とを比較する。このとき、オペレータは、印刷物の色調が所望の色調と一致すると判断した場合には、ＯＫ操作を操作部１４より行う。一方、印刷物の色調が所望の色調と一致しないと判断した場合には、インキキー開度設定値を変更するインキキー１１００のキーＮＯと、変更後のインキキー開度設定値を操作部１４より入力する。オペレータは、印刷物の色調が所望の色調となるまでインキキー開度設定値（インキキー開度１４００）の調整、及び試し刷りを繰り返す。
【００６３】
一方、オペレータ端末１の制御部１１は、ステップＳ３の処理後、オペレータによるＯＫ操作又はインキキー開度設定値の変更指示が入力されるまで待機している（ステップＳ４：ＮＯ、ステップＳ５：ＮＯ）。制御部１１は、インキキー開度変更指示が入力されたと判定した場合には（ステップＳ５：ＹＥＳ）、入力されたキーＮＯで識別されるインキキー１１００のインキキー開度設定値を、入力されたインキキー開度設定値に従って変更（設定）し（ステップＳ６）、再度、試し刷り開始指示情報を印刷機Ｐに送信する（ステップＳ３）。
【００６４】
また、制御部１１は、ＯＫ操作が入力されたと判定した場合には（ステップＳ４：ＹＥＳ）、ＯＫ操作が入力された際の各インキキー１１００のインキキー開度設定値（ＯＫ値）を取得する（ステップＳ７）。次いで、制御部１１は、インキキー１１００毎に、ステップＳ２の処理で取得したプリセット値と、ステップＳ７の処理で取得したインキキー開度設定値（ＯＫ値）の差分をインキキー開度操作量として算出する（ステップＳ８）。
【００６５】
次に、制御部１１は、算出したインキキー開度操作量が所定の閾値より大きいか否かを判定する（ステップＳ９）。具体的には、インキキー開度操作量が所定の閾値より大きいインキキー１１００の数が所定数以上あるか否かを判定する。この処理は、例外的なインキキー開度１４００の調整操作が行われた場合については、設定履歴データ１２２を保存しないための処理である。例えば、印刷物の印刷依頼者から通常より濃い目の印刷をして欲しいなどの特別な依頼があった場合には、通常より大きなインキキー開度１４００にて印刷を行うこととなるが、こういった例外的な調整操作が行われた場合については後述するステップＳ１０〜ステップＳ１３の処理を行わないようにしている。したがって、所定の閾値としては、例外的な調整操作であるか否かを判定できるような値が設定される。また、所定数も「１」や、全インキキー数の半分の数など、を任意に設定することができる。なお、ステップＳ９の条件を満たす場合のほか、オペレータが設定履歴データ１２２として保存すべきでないと判断し、操作部１４より所定の除外操作を入力した場合にも、ステップＳ１０〜ステップＳ１３の処理を行わないようにしてもよい。このようにすることにより、例外的なインキキー開度操作量により誤って不具合原因が特定されてしまうことを防止できる。
【００６６】
制御部１１は、インキキー開度操作量が所定の閾値より大きいと判定した場合には（ステップＳ９：ＹＥＳ）、印刷時処理を終了する。一方、制御部１１は、インキキー開度操作量が所定の閾値より大きくないと判定した場合には（ステップＳ９：ＮＯ）、設定履歴データ１２２を記憶部１２に登録する（ステップＳ１０）。次に、制御部１１は、記憶部１２に記憶されている設定履歴データ１２２に基づいて診断処理を行う（ステップＳ１１）。具体的には、制御部１１は、上述したように「インキ元ローラの軸ずれ」（原因１）に関する診断処理、「インキキーの零点ずれ」（原因２）に関する診断処理、「インキキーの動作不良」（原因３）に関する診断処理をそれぞれ個別に行う。なお、「インキキーの動作不良」（原因３）については動作不良を起こしているインキキー１１００のキーＮＯも特定する。
【００６７】
次に、制御部１１は、診断処理（ステップＳ１１）の結果、異常があったか否かを判定する（ステップＳ１２）。制御部１１は、異常がなかったと判定した場合には（ステップＳ１２：ＮＯ）、印刷時処理を終了する。一方、制御部１１は、異常があったと判定した場合には（ステップＳ１２：ＹＥＳ）、警告処理を行う（ステップＳ１３）。具体的には、制御部１１は、診断処理の結果、「インキ元ローラの軸ずれ」（原因１）の異常があった場合には、図１４（ａ）に示すように、インキ元ローラ１２００の軸がずれている可能性を示唆する警告メッセージを表示部１３に表示させる。また、制御部１１は、診断処理の結果、「インキキーの零点ずれ」（原因２）の異常があった場合には、図１４（ｂ）に示すように、インキキー１１００の零点がずれている可能性を示唆する警告メッセージを表示部１３に表示させる。また、制御部１１は、診断処理の結果、「インキキーの動作不良」（原因３）の異常があった場合には、図１４（ｃ）に示すように、動作不良の可能性のあるインキキー１１００のキーＮＯとともに、インキキー１１００が動作不良を起こしている可能性を示唆する警告メッセージを表示部１３に表示させる。制御部１１は、ステップ１３の処理を終えると、印刷時処理を終了する。
【００６８】
以上説明したように、本実施形態のオペレータ端末１の制御部１１は、インキキー１１００毎に、インキキー開度設定値のプリセット値と、所定の印刷品質が得られた際のインキキー開度設定値であるＯＫ値（本発明の「ＯＫインキキー開度設定値」の一例）を取得し、プリセット値とＯＫ値との差分値であるインキキー開度操作量を記憶部１２に記録する。また、制御部１１は、記憶部１２に記憶されたインキキー開度操作量に基づいて、印刷機Ｐの不具合原因を特定する。すなわち、印刷機Ｐで不具合が生じている場合に一定の傾向が現れる、インキキー開度操作量に基づいて、印刷機Ｐの不具合原因を特定することができ、延いてはメンテナンス時間を短縮することができる。
【００６９】
また、オペレータ端末１の制御部１１は、インキキー１１００毎に、記憶部１２に記憶された直近所定件数分のインキキー開度操作量に基づいてインキキー開度操作量の平均値を算出し、当該算出した平均値を印刷機Ｐにおけるインキキー１１００の配列順に並べた際に当該平均値の集合から得られる直線が所定の傾き（傾き警告判断値）より大きい場合に、インキ元ローラ１２００の軸ずれが生じていることを不具合原因として特定する。これにより、インキ元ローラ１２００の軸ずれが生じている場合に現れる、インキキー１１００毎に算出されるインキキー開度操作量の平均値を印刷機Ｐにおけるインキキー１１００の配列順に並べた際に当該平均値の集合から得られる直線が所定の傾きより大きいという傾向に基づいて、インキ元ローラ１２００の軸ずれが生じているか否かを診断することができる。
【００７０】
また、オペレータ端末１の制御部１１は、インキキー１１００毎に、記憶部１２に記憶された直近所定件数分のインキキー開度操作量に基づいてインキキー開度操作量の標準偏差及び平均値を算出し、当該標準偏差が設定値（零点ずれ量判断値）以下であるインキキーの数が所定数（零点ずれ警告判断値）以上であって、且つ、当該平均値の絶対値が設定値（零点不良判断値）以上であるインキキーの数が所定数（零点不良警告判断値）以上である場合に、前記インキキーの零点がずれていることを不具合原因として特定する。これにより、インキキー１１００の零点がずれている場合に現れる、インキキー開度操作量の標準偏差が設定値以下であるインキキーが所定数以上あり、且つ、インキキー開度操作量の平均値が設定値以上であるインキキーが所定数以上あるという傾向に基づいて、インキキー１１００の零点にずれが生じているか否かを診断することができる。
【００７１】
また、オペレータ端末１の制御部１１は、インキキー１１００毎に、記憶部１２に記憶された直近所定件数分のインキキー開度操作量に基づいてインキキー開度操作量の標準偏差を算出し、標準偏差が設定値（動作不良判断値）を超えているインキキー１１００が存在する場合には、当該インキキー１１００に動作不良が生じていることを不具合原因として特定する。これにより、インキキー１１００に動作不良が生じている場合に現れる、インキキー開度操作量の標準偏差が設定値を超えるという傾向に基づいて、インキキー１１００に動作不良が生じているか否かを診断することができる。
【００７２】
また、オペレータ端末１の制御部１１は、不具合原因が特定された場合に、当該不具合原因を提示して警告する。これにより、不具合原因が特定された場合に、当該不具合原因が提示・警告されるので、オペレータは容易に不具合原因を特定することができ、早急にメンテナンス作業に取りかかることができる。
【００７３】
なお、本実施形態においてインキ元ローラの軸ずれ（不具合原因１）について診断する場合には、制御部１１が記憶部１２に蓄積された直近所定件数分の設定履歴データ１２２より、各インキキー１１００についてインキキー開度操作量の平均値を算出し、インキ元ローラの軸ずれに対応する条件（平均値から算出される直線が所定の傾き以上であるかという条件）を満たしているかを判定することとしたが、平均値を算出する代わりに、直近１件分の設定履歴データ１２２（すなわち、最新の設定履歴データ１２２）より各インキキー１１００のインキキー開度操作量を取得し、当該取得したインキキー開度操作量から直線を算出し、所定の傾き以上であるかという条件を判定することとしてもよい。
【符号の説明】
【００７４】
１  オペレータ端末
１１  制御部
１２  記憶部
１２１  インキキー開度特性データ
１２２  設定履歴データ
１２３  不具合原因特定テーブル
１３  表示部
１４  操作部
１５  通信部
Ｐ  印刷機
Ｕ１〜Ｕ４  印刷ユニット
１１００  インキキー
１２００  インキ元ローラ
１３００  インキつぼ
１４００  インキキー開度
Ｓ  オフセット輪転印刷システム
【図１】
0005736797.tif 000002
【図２】
0005736797.tif 000003
【図３】
0005736797.tif 000004
【図４】
0005736797.tif 000005
【図５】
0005736797.tif 000006
【図６】
0005736797.tif 000007
【図７】
0005736797.tif 000008
【図８】
0005736797.tif 000009
【図９】
0005736797.tif 000010
【図１０】
0005736797.tif 000011
【図１１】
0005736797.tif 000012
【図１２】
0005736797.tif 000013
【図１３】
0005736797.tif 000014
【図１４】
0005736797.tif 000015